(57)【特許請求の範囲】
【請求項１】
基板の実装面に発光素子が実装された発光素子基板と、
平板状をなす平板領域と、前記平板領域の一部が切り起こされて形成され、前記平板領域の一方の面に配置された発光素子基板を固定するかしめ部とを有する保持部と、
発光素子基板を覆うカバーであって、前記かしめ部が切り起こされることで形成された開口を塞ぐ閉塞部を有し、前記保持部に固定されるカバーであるカバー部と
を備え、
前記閉塞部は、
前記かしめ部に当接する光源ユニット。
【請求項２】
前記基板は、
矩形をなすと共に矩形の長辺方向に沿う一組の基板端部の各基板端部に、切り欠かれた形状の切欠領域が形成され、
前記かしめ部は、
前記切欠領域で切り起こされる請求項１に記載の光源ユニット。
【請求項３】
前記発光素子基板と、前記保持部と、前記カバー部とは、
長尺形状であり、
前記カバー部は、
両端が開口した中空形状をなすと共に、長手方向に延びるスリットが形成され、
前記保持部は、
前記発光素子が前記スリットに位置し前記実装面が前記スリットを塞ぐように前記カバー部が固定される請求項１または請求項２に記載の光源ユニット。
【請求項４】
前記閉塞部は、
前記スリットによって形成されて長手方向に延びる前記スリットの縁である縁部からなる請求項３に記載の光源ユニット。
【請求項５】
前記カバー部は、
長手方向にわたり前記保持部よりも一方の短手方向に張り出した第一の張出部と、長手方向にわたり前記保持部よりも前記一方の短手方向の反対方向である他方の短手方向に張り出した第二の張出部とを有する請求項４に記載の光源ユニット。
【請求項６】
請求項５に記載の光源ユニットと、
長手形状の矩形をなす平板形状の平板部と、
前記平板部の長手方向に沿う一方の平板端部から立ち上がる平板形状の第一の側壁部と、
前記平板部の長手方向に沿う他方の平板端部から立ち上がる平板形状の第二の側壁部とから成る凹形状をなす凹部を有する器具本体と
を備え、
前記光源ユニットは、
前記第一の側壁部の立ち上がり終端部となる第一の終端部に前記第一の張出部が対向し、前記第二の側壁部の立ち上がり終端部となる第二の終端部に前記第二の張出部が対向して前記凹部に取り付けられて、前記第一の終端部と前記第二の終端部との間の隙間を塞ぐ照明器具。
【請求項７】
長手形状をなす基板の実装面に発光素子が実装された発光素子基板と、
長手形状の平板状をなし、前記平板状の長手方向である取付長手方向に前記基板の長手方向である基板長手方向をそろえた状態で前記発光素子基板が一方の面である取付面に取り付けられ、かつ、前記取付面のうち前記平板状の短手方向である取付短手方向における一方の端部領域であり前記取付長手方向にわたる一方の端部領域である、第１貫通孔の形成された第１端部領域を避けて発光素子基板が取り付けられる取付部と、
前記発光素子基板と前記取付部とを覆う長手形状のカバー部であって、前記取付長手方向にわたり前記第１端部領域の一部に当接する第１外側当接部と、前記第１外側当接部に対して前記取付短手方向において前記発光素子基板の方向へ間隔を隔てて配置されて前記第１貫通孔を前記第１外側当接部との間に挟み、前記取付長手方向にわたり前記第１端部領域に当接する第１内側当接部と、前記取付長手方向にわたり前記第１外側当接部と前記第１内側当接部とを接続し、前記第１端部領域の前記第１貫通孔を覆う第１接続部とを有する第１閉塞部を備えるカバー部と
を備える光源ユニット。
【請求項８】
前記取付部は、
前記取付面のうち前記取付短手方向における他方の端部領域であり前記取付長手方向にわたる他方の端部領域である、第２貫通孔の形成された第２端部領域を避けて前記発光素子基板が取り付けられ、
前記カバー部は、さらに、
前記取付長手方向にわたり前記第２端部領域の一部に当接する第２外側当接部と、前記第２外側当接部に対して前記取付短手方向において前記発光素子基板の方向へ間隔を隔てて配置されて前記第２貫通孔を前記第２外側当接部との間に挟み、前記取付長手方向にわたり前記第２端部領域に当接する第２内側当接部と、前記取付長手方向にわたり前記第２外側当接部と前記第２内側当接部とを接続し、前記第２端部領域の前記第２貫通孔を覆う第２接続部とを有する第２閉塞部を備える請求項７に記載の光源ユニット。
【請求項９】
前記取付部は、
前記発光素子基板が、前記第１端部領域と、前記第２端部領域との間に取り付けられた請求項８に記載の光源ユニット。
【請求項１０】
請求項７から請求項９のいずれか一項に記載の光源ユニットと、
前記光源ユニットが取り付けられる器具本体と
を備える照明器具。
【発明の詳細な説明】
【技術分野】
【０００１】
この発明は、発光素子が実装された長尺形状の発光素子基板を有する光源ユニットと、この光源ユニットを備えた照明器具に関する。例えば、光源ユニットにおける発光素子基板の取り付け構造に関する。
【背景技術】
【０００２】
特許文献１には、長尺形状に形成された光源ユニットと、この光源ユニットが着脱自在に取り付けられる器具本体とを備えた照明器具がある。この長尺形状の光源ユニットでは、複数のＬＥＤが実装されたＬＥＤ基板を、板金で形成された取付部材に固定している。この取付部材はその取付部材の一部を切り起こして形成したかしめ部を備えている。
【先行技術文献】
【特許文献】
【０００３】
【特許文献１】特開２０１４−１１２４９０号公報
【発明の概要】
【発明が解決しようとする課題】
【０００４】
特許文献１の光源ユニットはかしめ部によりＬＥＤ基板を取付部材に固定しているが、かしめ部は取付部材の一部を切り起こしたものであり、切り起こしにより取付部材に開口が形成される。開口が形成されたままの場合、光源ユニット内部に粉塵や虫が侵入するおそれがある。開口をテープなどで塞ぐとすれば部品点数が増加する。
【０００５】
本発明は、切り起こしにより形成された開口や貫通孔を塞ぐ、簡易な構成の提供を目的とする。
【課題を解決するための手段】
【０００６】
この発明の光源ユニットは、
基板の実装面に発光素子が実装された発光素子基板と、
平板状をなす平板領域と、前記平板領域の一部が切り起こされて形成され、前記平板領域の一方の面に配置された発光素子基板を固定するかしめ部とを有する保持部と、
発光素子基板を覆うカバーであって、前記かしめ部が切り起こされることで形成された開口を塞ぐ閉塞部を有し、前記保持部に固定されるカバーであるカバー部と
を備える。
【発明の効果】
【０００７】
本発明は、かしめ部の切り起こしで形成された開口を塞ぐ閉塞部を有するカバー部を備えたので、開口を簡易な構成で塞ぐことができる。
【図面の簡単な説明】
【０００８】
【図１】実施の形態１を示す図で、照明器具３００の斜視図。
【図２】実施の形態１を示す図で、照明器具３００を器具本体１００と光源ユニット２００とに分解した分解傾斜視図。
【図３】実施の形態１を示す図で、光源ユニット２００の斜視図。
【図４】実施の形態１を示す図で、器具本体１００を、本体部１１０と端板１２０−１，１２０−２とに分解した斜視図。
【図５】実施の形態１を示す図で、光源ユニット２００の分解斜視図。
【図６】図５のＡ−Ａに相当する図１のＡ−Ａ断面図。
【図７】図６を拡大した図。
【図８】実施の形態１を示す図で、発光素子基板２１０の取付部２２１への取り付け前を示す斜視図。
【図９】図８の後の状態を示す図で、発光素子基板２１０の取付部２２１への取り付けを後を示す斜視図。
【図１０】図９の後の状態を示す図で、かしめ部２２１ｋをかしめた状態を示す斜視図。
【図１１】実施の形態１を示す図で、組み立て時の図５のＸ方向の矢視図。
【図１２】実施の形態１を示す図で、切欠領域２１６を持たない基板２１２を有する発光素子基板２１０の取付部２２１への取り付け前を示す斜視図。
【図１３】図１２の後の状態を示す図で、かしめ部２２１ｋをかしめた状態を示す斜視図。
【図１４】実施の形態１を示す図で、切欠領域２１６を持たない基板２１２を有する発光素子基板２１０をかしめ部２２１ｋ−１でかしめた状態を示す斜視図。
【図１５】図１３の場合のＡ−Ａ断面図。
【図１６】図１４の場合のＡ−Ａ断面図。
【図１７】図１４の場合の、別のＡ−Ａ断面図。
【図１８】実施の形態２を示す図で、光源ユニット２００の斜視図。
【図１９】実施の形態２を示す図で、照明器具３００の断面図。
【図２０】実施の形態２を示す図で、照明器具３００の断面図。
【図２１】実施の形態２を示す図で、カバー部２３０の断面図。
【図２２】実施の形態２を示す図で、ハーネスクランプ２８０の斜視図。
【図２３】実施の形態２を示す図で、第１貫通孔２２９１−１の周辺の拡大図。
【図２４】実施の形態２を示す図で、図２３のｄ方向矢視を模式的に示す図。
【図２５】実施の形態３の図で、照明器具３００−１の斜視図。
【図２６】図２５のＢ−Ｂ断面図。
【図２７】実施の形態３の図で、照明器具３００−２の斜視図。
【図２８】図２７のＢ−Ｂ断面図。
【図２９】実施の形態３の図で、照明器具３００−３の斜視図。
【図３０】図２９のＢ−Ｂ断面図。
【図３１】実施の形態３の図で、照明器具３００−４の斜視図。
【図３２】図３１のＢ−Ｂ断面図。
【図３３】実施の形態３の図で、照明器具３００−５の斜視図。
【図３４】図３３のＢ−Ｂ断面図。
【図３５】実施の形態３の図で、照明器具３００−６の斜視図。
【図３６】図３５のＢ−Ｂ断面図。
【発明を実施するための形態】
【０００９】
実施の形態１．
図１から図１７を参照して本実施の形態における照明器具３００を説明する。本実施の形態では、本発明に係わる照明器具の一例として天井などの被取付部５００に取り付けられる、逆富士形の照明器具について説明する。照明器具３００では発光素子基板２１０を保持部２２０に取り付ける際にかしめ部２２１ｋを使用するが、かしめ部２２１ｋは保持部２２０における平板部分である取付部２２１の一部を切り起こして形成しているため取付部２２１には開口が残る。照明器具３００の特徴はこの開口をカバー部２３０で覆う構成にあり、また、カバー部２３０の一部をかしめ部２２１ｋに当接させてかしめ部２２１ｋが発光素子基板２１０からはずれることを防止する点にある。
【００１０】
＊＊＊構成の説明＊＊＊
図１及び図２に示すように、照明器具３００は被取付部５００に当接するように設置される器具本体１００と、器具本体１００に脱着可能に取り付けられる光源ユニット２００から構成されている。
【００１１】
図２に示すように、器具本体１００は、光源ユニット２００を固定するためのバネ部１３０と、照明器具３００の外部から引き込まれた電源電線が接続される端子台１４０を備えている。器具本体１００は、長手方向に沿って略中央部に、光源ユニット２００の収容部である長尺形状の凹部１１１が形成されている。
【００１２】
図４に示すように、器具本体１００は、本体部１１０と、端板１２０−１と、端板１２０−２とを備える。図４、図７のように凹部１１１は、平板部１１２と、第一の側壁部１１３−１と、第二の側壁部１１３−２とから成る凹形状をなす。平板部１１２は長手形状の矩形をなす平板形状である。第一の側壁部１１３−１は平板部１１２の長手方向に沿う一方の平板端部１１２ａから立ち上がる平板形状である。第二の側壁部１１３−２は平板部１１２の長手方向に沿う他方の平板端部１１２ｂから立ち上がる平板形状である。図４、図７のように、凹部１１１とは、平板部１１２、第一の側壁部１１３−１，第二の側壁部１１３−２で構成され、断面がコの字形状で、長手方向の範囲１１８にわたり形成される凹形状の部分である。凹部１１１は、光源ユニット２００が取り付けられる。器具本体１００は、図７に示すように、造営材などの被取付部５００に取り付けられる。凹部１１１の開口の長手側辺それぞれから平板部１１２方向へ広がるように傾斜する傾斜部１１４−１，１１４−２が形成されている。なお、図４に示すように、長手方向の両側には、凹部１１１及び傾斜部１１４−１，１１４−２を覆うように、端板１２０−１，１２０−２が取り付けられている
【００１３】
図２に示すように、器具本体１００の平板部１１２には、バネ部１３０と端子台１４０が取り付けられる。平板部１１２には商用電源からの電力供給を受けるための電源線を引き込む複数の電源引込孔１１２ｃと、被取付部５００へボルトなどで固定する為の複数の固定孔１１２ｄ（図２では４つ）が形成されている。
【００１４】
図３に示すように、光源ユニット２００は、長尺形状である。図３、図５に示すように、光源ユニット２００は、発光素子基板２１０、保持部２２０、カバー部２３０、光源蓋部２４０、連結金具２５０、点灯装置２７０を備えている。発光素子基板２１０と、前記保持部２２０と、前記カバー部２３０とは、長尺形状である。
（１）発光素子基板２１０は、基板２１２の実装面２１２ａに発光素子２１１が実装されている。この実施の形態では発光素子２１１はＬＥＤである。発光素子基板２１０は、照明器具３００の長手方向（図１）と略同等となるように長尺形状に形成されており、複数の発光素子２１１は基板２１２の長尺方向へ並ぶよう配設されている。
（２）保持部２２０には、発光素子基板２１０が取り付けられる。
（３）カバー部２３０は、発光素子基板２１０を覆うように保持部２２０に取り付けられて、発光素子基板２１０から照射される光を拡散制御する。
（４）光源蓋部２４０は、カバー部２３０の端部を覆う。
（５）連結金具２５０は、バネ部１３０と連結することで、光源ユニット２００を器具本体１００に取り付ける。
（６）点灯装置２７０は、発光素子基板２１０の発光素子２１１を点灯させる。
【００１５】
図５に示すように、発光素子基板２１０は、複数の発光素子２１１と、複数の発光素子２１１を実装する基板２１２を有している。発光素子基板２１０は、照明器具３００の長手方向と略同等となるよう長尺に形成されているとともに、発光素子２１１は基板２１２の長尺方向へ並ぶよう配設されている。また、基板２１２は、矩形をなすと共に矩形の長辺方向に沿う一組の端部をなす一方の基板端部２１２−１，他方の基板端部２１２−２に、切り欠かれた形状の切欠領域２１６が複数形成されている。後述するかしめ部２２１ｋはこの切欠領域２１６で切り起こされる。切欠領域２１６は後述のかしめ部２２１ｋを逃がすためのもの領域であり、各かしめ部２２１ｋに対応する位置に設けられている。図５では切欠領域２１６は基板２１２の長手方向に対して対称にそれぞれ４組形成されている。
【００１６】
図５、図７に示すように、保持部２２０は、取付部２２１、第一の側面部２２２−１、第二の側面部２２２−２を有する。保持部２２０は、平板状をなす平板領域２２１ｅと、平板領域２２１ｅの一部が切り起こされて形成され、平板領域２２１ｅの一方の面２２１ａに配置された発光素子基板２１０を固定するかしめ部２２１ｋとを有する。平板領域２２１ｅは取付部２２１のうちの厚さも含めた平坦な部分であり、図５に破線で示す。かしめ部２２１ｋは取付部２２１に形成されるが図５では平板領域２２１ｅに形成されている。取付部２２１は長尺形状の平板状である。取付部２２１は略矩形状をなしており、平板領域２２１ｅの一方の面２２１ａには発光素子基板２１０が取り付けられる。第一の側面部２２２−１は、長尺形状をなす取付部２２１の長手方向に沿う一方の取付端部２２１ｃから発光素子基板２１０とは反対方向に起立する。第二の側面部２２２−２は、取付部２２１の長手方向に沿う他方の取付端部２２１ｄから、第一の側面部２２２−１に対向するように、発光素子基板２１０とは反対方向に起立する。
【００１７】
図５に示すように、取付部２２１の長手方向の両側には、第一の側面部２２２−１、第二の側面部２２２−２に沿って、かしめ部２２１ｋが複数設けられている。後述のように、かしめ部２２１ｋは取付部２２１に配置された発光素子基板２１０を、発光素子基板２１０の短手方向（幅の両側）から固定する。かしめ部２２１ｋは取付部２２１の一部を切り起こすことで形成する。後述する図９に示すようにかしめ部２２１ｋにはスリット２２１ｍを形成して矢印Ｙの方向に折り曲げ可能としている。かしめ部２２１ｋを矢印Ｙの方向（発光素子２１１側）に折り曲げることで、取付部２２１とかしめ部２２１ｋとの間に基板２１２を挟み込んで固定する。
【００１８】
図５〜図７を参照してカバー部２３０を説明する。カバー部２３０は、カバー爪部２３１、反射部２３２、水平部２３３、拡散部２３４を備えており、ポリカーボネートなどの樹脂部材で形成された長尺形状である。カバー部２３０は保持部２２０に固定されるカバーであり、発光素子基板２１０を覆うカバーである。カバー部２３０は、両端が開口した中空形状をなすと共に、長手方向に延びるスリット２３５が形成されている（図５、図６）。図６に示すように保持部２２０では、発光素子２１１がスリット２３５に位置し実装面２１２ａがスリット２３５を塞ぐようにカバー部２３０が固定される。
（１）カバー爪部２３１は、保持部２２０の第一の側面部２２２−１，第二の側面部２２２−２に係合する。
（２）反射部２３２は、取付部２２１の一方の面２２１ａと対向するように形成されている。反射部２３２は発光素子基板２１０から出射される光、およびカバー部２３０内部で拡散された光を反射する。図７に示すように、対をなすそれぞれの反射部２３２の水平方向への長さは、基板２１２の一方の基板端部２１２−１、他方の基板端部２１２−２に乗り上がり開口２２１ｆを覆う長さである。図７では反射部２３２は切欠領域２１６に乗り上げる状態を示している。カバー部２３０はかしめ部２２１ｋが切り起こされることで形成された開口２２１ｆを塞ぐ閉塞部２３２ａを有する。対をなすそれぞれの反射部２３２の先端が閉塞部２３２ａを成している。また、反射部２３２は閉塞部２３２ａがかしめ部２２１ｋに当接する長さに形成されていおり、閉塞部２３２ａは、かしめ部２２１ｋに当接する。閉塞部２３２ａは、長手方向に延びるスリット２３５の縁である縁部２３２ａ−１からなる。
（３）水平部２３３は、カバー爪部２３１の取付部２２１の側端部から取付部２２１の外側に向かって水平に形成されている。
（４）拡散部２３４は、水平部２３３の端部から発光素子基板２１０を覆うように略円弧形状をなす。拡散部２３４は、発光素子基板２１０から出射される光を拡散し外部へ放射する。
（５）なお図６に示すようにカバー部２３０は、第一の張出部２３０−１と第二の張出部２３０−２とを有する。第一の張出部２３０−１は一方の短手方向６０１に、長手方向にわたり保持部２２０よりも張り出しており、第二の張出部２３０−２は、一方の短手方向６０１の反対方向である他方の短手方向６０２に、長手方向にわたり保持部２２０よりも張り出している。
【００１９】
光源蓋部２４０は、カバー部２３０の水平部２３３と拡散部２３４と、保持部２２０の取付部２２１から構成される端部を塞ぐ。
【００２０】
連結金具２５０がバネ部１３０と連結することで、光源ユニット２００が器具本体１００に装着可能となる。
【００２１】
点灯装置２７０は端子台１４０を介して商用電力からの電力を発光素子基板２１０に供給し、発光素子２１１を点灯させる。
【００２２】
＊＊＊組立動作の説明＊＊＊
次に、図８〜図１１を参照して、発光素子基板２１０、保持部２２０、カバー部２３０の組み立てを説明する。
（１）はじめに、基板２１２の切欠領域２１６に保持部２２０のかしめ部２２１ｋが位置するように、発光素子基板２１０を保持部２２０に配置する。切欠領域２１６は図１１のａ，ｂ，ｃ，ｄとして基板２１２から切り取られる矩形形状の部分である。
（２）次に、図９に示すように、かしめ部２２１ｋの先端２２１ｋ−Ｔを図９に示した矢印Ｙの方向（内側；発光素子２１１側）に折り曲げて、図１０に示すように基板２１２を取付部２２１に固定する。かしめ部２２１ｋは折り曲げられた先端２２１ｋ−Ｔによって基板２１２を保持部１２０に押圧する。また、かしめ部２２１ｋが長手方向の両側に形成された切欠領域２１６に位置していることで、基板２１２の取付部２２１に対する長手方向、短手方向へのズレを防いでいる。かしめ部２２１ｋの後端２２１ｋ−Ｅが切欠領域２１６の縁に当たることで基板２１２の長手方向のズレを防止するが、長手方向において先端２２１ｋ−Ｔ、後端２２１ｋ−Ｅの向きが逆になるかしめ部２２１ｋどうしを設けることで長手方向（両方向）のズレを防止できる。
（３）次に、カバー部２３０が、保持部２２０に装着される。カバー部２３０は、反射部２３２の閉塞部２３２ａが開口２２１ｆを塞ぎ、また、拡散部２３４が発光素子基板２１０を覆うように、保持部１２０に係合されて固定される。なお、反射部１４２がかしめ部２２１ｋに当接することで、かしめ部２２１ｋが緩むのを防止して、かしめ部２２１ｋの先端が基板２１２からはずれることを防止できる。
【００２３】
図６に示すＡ−Ａ断面は器具本体１００に光源ユニット２００が取り付けられた状態である。光源ユニット２００は第一の側壁部１１３−１の立ち上がり終端部となる第一の終端部１１３−１Ａに第一の張出部２３０−１が対向し、第二の側壁部１１３−２の立ち上がり終端部となる第二の終端部１１３−２Ａに第二の張出部２３０−２が対向して凹部１１１に取り付けられる。この場合、光源ユニット２００は凹部１１１における第一の終端部１１３−１Ａと第二の終端部１１３−２Ａとの隙間を塞ぐ。
【００２４】
＊＊＊効果の説明＊＊＊
実施の形態の効果として、
第一に、発光素子基板２１０がかしめ部２２１ｋにより固定される際にカバー部２３０は閉塞部２３２ａが開口２２１ｆを覆うように保持部１２０に固定されるので、開口２２１ｆを塞ぐことができる。
第二に、カバー部２３０の閉塞部２３２ａがかしめ部２２１ｋに当接するので、かしめ部２２１ｋが基板２１２からはずれることを防止できる。
【００２５】
なお、本実施の形態の変形例として図１２、図１３に示すように基板２１２には切欠領域２１６を設けず基板２１２を取付部２２１に固定してもよい。なお図１５は図１３の場合のＡ−Ａ断面図である。
図１３の場合、長手方向へのずれ防止は取付部２２１に突起２２１ｇを設け、基板２１２に突起２２１ｇを係止する係止孔２１２Ｇを設ける。あるいは、光源蓋部２４０に基板２１２に長手方向で当接する当接部を設け、光源蓋部２４０の当接部によって基板２１２の取付部２２１に対する長手方向のずれを防止してもよい。
【００２６】
なお、本実施形態の変形例として図１４に示すように、全体を折り曲げて基板２１２を固定するかしめ部２２１ｋ−１の形状でもよい。かしめ部２２１ｋ−１はスリット２２１ｍを持たない。図１６は図１４の場合に閉塞部２３２ａが基板２１２の両側に当接する場合を示している。図１７は図１４の場合に閉塞部２３２ａが実装面２１２ａに乗り上げて開口２２１ｆを塞ぐ場合を示している。
【００２７】
実施の形態２．
図１８〜図２４を参照して実施の形態２の照明器具３００を説明する。実施の形態２の照明器具３００は、実施の形態１に対して、光源ユニット２００の構造が異なる。具体的には、光源ユニット２００の保持部２２０の取付部２２１に切り起こされたかしめ部２２１ｋ，２２１ｋ−１のない貫通孔が形成されており、この貫通孔にハーネスクランプ２８０の一対の脚部２８１が挿し込まれる。カバー部２３０は、貫通孔を発光素子基板２１０の側から覆って閉塞する、閉塞部（第１閉塞部２３５０−１、第２閉塞部２３５０−２）を有する。実施の形態２の特徴は、カバー部２３０の閉塞部（第１閉塞部２３５０−１、第２閉塞部２３５０−２）である。なお器具本体１００は実施の形態１と同じである。
【００２８】
図１８は、実施の形態２の光源ユニット２００の斜視図である。図１９は、実施の形態２の照明器具３００の断面図である。図２０は、実施の形態２の照明器具３００の断面図である。図２１は、カバー部２３０の断面図である。図２２は、ハーネスクランプ２８０の斜視図である。図２３は、照明器具３００の断面における第１貫通孔２２９１−１の周辺の拡大図である。図２４は、図２３のｄ方向矢視である。図１９〜図２１、図２３の断面は、いずれも図１の長手方向を法線方向とする切断面の断面である。
【００２９】
図１８に示すように、光源ユニット２００は、発光素子基板２１０、取付部２２１（保持部２２０）、カバー部２３０を備える。
【００３０】
（発光素子基板２１０）
発光素子基板２１０は、長手形状をなす基板２１２の実装面２１２ａに発光素子２１１が実装されている。
【００３１】
（取付部２２１）
取付部２２１は、長手形状の平板状をなし、この平板状の長手方向Ｘである取付長手方向に基板２１２の長手方向Ｘである基板長手方向をそろえた状態で発光素子基板２１０が一方の面２２１ａである取付面（以下、取付面２２１ａと記す場合がある）に取り付けられる。
取付部２２１は、発光素子基板２１０が取り付けられる場合、取付面のうち短手方向Ｙである取付短手方向における一方の端部領域であり取付長手方向（長手方向Ｘ）にわたる一方の端部領域である、第１貫通孔２２９１−１の形成された第１端部領域２２１１−１を避けて発光素子基板２１０が取り付けられる。
また、取付部２２１は、取付面２２１ａのうち取付短手方向（短手方向Ｙ）における他方の端部領域であり取付長手方向（長手方向Ｘ）にわたる他方の端部領域である、第２貫通孔２２９１−２の形成された第２端部領域２２１１−２を避けて発光素子基板２１０が取り付けられる。
図２４に示すように、取付部２２１は、発光素子基板２１０が、短手方向Ｙにおいて第１端部領域２２１１−１と、第２端部領域２２１１−２との間に取り付けられる。
【００３２】
（ハーネスクランプ２８０）
図２０に示すように、取付部２２１には図２２に示すハーネスクランプ２８０が配置される。ハーネスクランプ２８０は、図１８に示す貫通孔に対となる脚部２８１が挿し込まれる。図１８では４個の第１貫通孔２２９１−１と、４個の第２貫通孔２２９１−２が形成されているが、短手方向Ｙで隣接して形成された第１貫通孔２２９１−１、第２貫通孔２２９１−２を一組として、この一組の貫通孔にハーネスクランプ２８０の一対の脚部２８１が挿し込まれる。図１８では４個のハーネスクランプ２８０が配置される。
【００３３】
図２１に示すように、カバー部２３０は、主部２２３１、一対のカバー側壁部２２３２、一対の傾斜部２２３２−１、一対の上下壁形状部２２３３（上側壁形状部２２３３−１、下側壁形状部２２３３−２）、一対の係合部２２３４を備える。また、カバー部２３０は、一方の下側壁形状部２２３３−２の下方に第１閉塞部２３５０−１を有し、他方の下側壁形状部２２３３−２の下方に第２閉塞部２３５０−２を有する。
【００３４】
（１）主部２２３１は、光源である発光素子２１１が装着された発光素子基板２１０を覆う長手形状をなし、長手方向Ｘを法線方向とする断面の形状が凸となる凸断面形状２３０Ｄをなす拡散性を有する透光性である。
（２）一対のカバー側壁部２２３２は、主部２２３１の長手方向Ｘに沿う一方の端部２２３１ａと他方の端部２２３１ｂであって短手方向Ｙで両側端部となる一方の端部２２３１ａと他方の端部２２３１ｂとから、Ｚ方向の反対方向にそれぞれ立ち上がる。一対のカバー側壁部２２３２は、拡散性を有する透光性の側壁部である。
（３）一対の傾斜部２２３２−１は、一対のカバー側壁部２２３２の立ち上がりのそれぞれの終端部である端部Ａから、相手のカバー側壁部２２３２の方向に傾斜して立ち上がる。
（４）一対の上下壁形状部２２３３は、一対の傾斜部２２３２−１の立ち上がりのそれぞれの終端部である端部Ｅに形成され、端部ＥにおいてＺ方向の反対方向に延びる壁形状の上側壁形状部２２３３−１と、端部ＥにおいてＺ方向に延びる壁形状の下側壁形状部２２３３−２とを有する。
（５）一対の係合部２２３４は、一対の上下壁形状部２２３３のそれぞれの上側壁形状部２２３３−１の端部Ｆに形成される。
【００３５】
次に、図２０、図２３、図２４等を参照して、第１閉塞部２３５０−１、第２閉塞部２３５０−２を説明する。
【００３６】
（第１閉塞部２３５０−１）
第１閉塞部２３５０−１は、第１外側当接部２３５１−１、第１内側当接部２３５２−１、第１接続部２３５３−１を有する。
（１）第１外側当接部２３５１−１は、取付長手方向（長手方向Ｘ））にわたり第１端部領域２２１１−１の一部に当接する。
（２）第１内側当接部２３５２−１は、第１外側当接部２３５１−１に対して取付短手方向（短手方向Ｙ）において発光素子基板２１０の方向へ間隔を隔てて配置されて第１貫通孔２２９１−１を第１外側当接部２３５１−１との間に挟み、取付長手方向（長手方向Ｘ）にわたり第１端部領域２２１１−１に当接する。
（３）第１接続部２３５３−１は、取付長手方向（長手方向Ｘ）にわたり第１外側当接部２３５１−１と第１内側当接部２３５２−１とを接続し、第１端部領域２２１１−１の第１貫通孔２２９１−１を覆う。
【００３７】
（第２閉塞部２３５０−２）
第２閉塞部２３５０−２は、第２外側当接部２３５１−２、第２内側当接部２３５２−２、第２接続部２３５３−２を有する。
（１）第２外側当接部２３５１−２は、取付長手方向（長手方向Ｘ）にわたり第２端部領域２２１１−２の一部に当接する。
（２）第２内側当接部２３５２−２は、第２外側当接部２３５１−２に対して取付短手方向（短手方向Ｙ）において発光素子基板２１０の方向へ間隔を隔てて配置されて第２貫通孔２２９１−２を第２外側当接部２３５１−２との間に挟み、取付長手方向（長手方向Ｘ）にわたり第２端部領域２２１１−２に当接する。
（３）第２接続部２３５３−２は、取付長手方向にわたり第２外側当接部２３５１−２と第２内側当接部２３５２−２とを接続し、第２端部領域２２１１−２の第２貫通孔２２９１−２を覆う。
（４）また、図１８に示す２個の光源蓋部２４０によって、長手方向Ｘにおける両方の端部が塞がれる。このとき、長手方向Ｘにおける両方の端部の、取付部２２１と第１接続部２３５３−１の作る空間の端面、取付部２２１と第２接続部２３５３−２の作る空間の端面を塞ぐ。
【００３８】
図２３に示すように、取付部２２１には第１貫通孔２２９１−１、第２貫通孔２２９１−２が形成されている。そのため、浸入経路から発光素子２１１の空間に埃や虫などが侵入する恐れがある。しかし、光源ユニット２００は第１閉塞部２３５０−１、第２閉塞部２３５０−２を備えるので、浸入経路から発光素子２１１の空間に、埃や虫などが侵入することを防止できる。
【００３９】
なお、実施の形態２では貫通孔として、ハーネスクランプ２８０の取付用に形成された、２個一組の貫通孔を説明した。しかし、閉塞の対象となる貫通孔はハーネスクランプ２８０用の貫通孔に限らない。また、貫通孔が一組でなくてもよい。第１端部領域２２１１−１のみに貫通孔が形成されている場合でもよい。
【００４０】
実施の形態３．
実施の形態３では、主に、実施の形態２と異なる点について説明する。実施の形態３は、実施の形態２で説明した照明器具３００の６つのバリエーションである３００−１，３００−２，３００−３，３００−４，３００−５，３００−６について説明する。６つのバリエーションを照明器具３００−１〜照明器具３００−６と記す。
【００４１】
実施の形態３に係る照明器具３００−１〜３００−６では、実施の形態２で説明した光源ユニット２００と同一の光源ユニットを備える。照明器具３００−１〜３００−６が実施の形態２と異なる点は、器具本体１００−ｋ（ｋは１〜６）の形状である。実施の形態２で説明した構成は実施の形態３の照明器具３００−１〜３００−６について適用でき、その構成による効果を得ることができる。
【００４２】
実施の形態２で説明した照明器具３００は、図１９に示す器具本体１００の上面を天井面等の取付部に直付けする直付けタイプの照明器具である。図１９の器具本体１００の短手方向の幅Ｌ（０）は、例えば、１５０ｍｍである。また、照明器具３００の傾斜部水平面から角度θ傾斜している。
【００４３】
（バリエーション１）
図２５は、照明器具３００−１の斜視図である。図２６は、図２５のＢ−Ｂ断面図である。照明器具３００−１は、直付けタイプである。照明器具３００−１は、器具本体１００−１の形状が器具本体１００と異なる。照明器具３００−１の短手方向の幅Ｌ（１）は照明器具３００の短手方向の幅Ｌ（０）の１．４〜１．７倍である。照明器具３００−１の短手方向の幅Ｌ（１）は、例えば、２３０ｍｍである。照明器具３００−１の傾斜部の水平面からの角度θは、図１９の角度θよりも小さい。
【００４４】
（バリエーション２）
図２７は、照明器具３００−２の斜視図である。図２８は図２７のＢ−Ｂ断面図である。照明器具３００−２は、直付けタイプである。照明器具３００−２は、器具本体１００−２の形状が照明器具３００の器具本体１００と異なる。照明器具３００−２は、器具本体１００−２が光を反射させる構成を備えていないトラフタイプの照明器具である。
【００４５】
（バリエーション３）
図２９は、照明器具３００−３の斜視図である。図２８は図２７のＢ−Ｂ断面図である。照明器具３００−３は、直付けタイプである。照明器具３００−３は、器具本体１００−３の形状が照明器具３００の器具本体１００と異なる。照明器具３００−３は、器具本体１００−３の傾斜部が凹部１１１の下方に向かって広がるように形成された反射笠タイプの照明器具である。
【００４６】
（バリエーション４）
図３１は、照明器具３００−４の斜視図である。図３２は、図３１のＢ−Ｂ断面図である。照明器具３００−４は、天井面等の取付部に形成された取付孔に埋め込まれて取り付けられる埋込タイプの照明器具である。照明器具３００−４は、器具本体１００−４の形状が照明器具１０の器具本体１００と異なる。照明器具３００−４の短手方向の幅Ｌ（４）は、例えば１５０ｍｍである。
【００４７】
（バリエーション５）
図３３は、照明器具３００−５の斜視図である。図３４は、図３３のＢ−Ｂ断面図である。照明器具３００−５は、埋込タイプの照明器具である。照明器具３００−５は、器具本体１００−５の形状が照明器具３００の器具本体１００と異なる。照明器具３００−５の短手方向の幅Ｌ（５）は、器具本体１００−４の短手方向の幅Ｌ（４）の０．６〜０．７倍である。照明器具３００−５の短手方向の幅Ｌ（５）は、例えば、１００ｍｍである。
【００４８】
（バリエーション６）
図３５は、照明器具３００−６の斜視図である。図３６は、図３５のＢ−Ｂ断面図である。照明器具３００−６は、埋込タイプの照明器具である。照明器具３００−６は、器具本体１００−６の形状が照明器具３００の器具本体１００と異なる。照明器具３００−６は、Ｃチャンネル回避型の照明器具である。照明器具３００−６は、埋め込まれる器具本体１００−６の高さＨ（６）が、図３２に示す器具本体１００−４の高さＨ（４）や図３４に示す器具本体１００−５の高さＨ（５）よりも低い。照明器具３００−６の短手方向の幅Ｌ（６）は、照明器具３００−５の短手方向の幅Ｌ（５）の１．８〜２．２倍である。照明器具３００−６の短手方向の幅Ｌ（６）は、例えば、２２０ｍｍである。
【００４９】
上述したように、実施の形態２で説明した構成及び効果は実施の形態３の照明器具３００−１〜３００−６についても当てはまる。
【符号の説明】
【００５０】
１００  器具本体、１１０  本体部、１１１  凹部、１１１−１  収容部、１１２  平板部、１１２ａ  一方の平板端部、１１２ｂ  他方の平板端部、１１２ｃ  引込孔、１１２ｄ  固定孔、１１３−１  第一の側壁部、１１３−２  第二の側壁部、１１３−１Ａ  第一の終端部、１１３−２Ａ  第二の終端部、１１４−１，１１４−２  傾斜部、１１８  範囲、１２０−１，１２０−２  端板、１３０  バネ部、１４０  端子台、２００  光源ユニット、２１０  発光素子基板、２１１  発光素子、２１２  基板、２１２ａ  実装面、２１２Ｇ  係止孔、２１２ａ  実装面、２１２−１  一方の基板端部、２１２―２  他方の基板端部、２１６  切欠領域、２１５  突起当接部、２２０  保持部、２２１  取付部、２２１ｇ  突起、２２１ａ  一方の面、２２１ｂ  他方の面、２２１ｃ  一方の取付端部、２２１ｄ  他方の取付端部、２２１ｅ  平板領域、２２１ｆ  開口、２２１ｋ，２２１ｋ−１  かしめ部、２２１ｍ  スリット、２２２−１  第一の側面部、２２２−２  第二の側面部、２２２ｄ  起立方向、２２１１−１  第１端部領域、２２１１−２  第２端部領域、２２３２  一対のカバー側壁部、２２３２−１  一対の傾斜部、２２３３  一対の上下壁形状部、２２３３−１  上側壁形状部、２２３３−２  下側壁形状部、２２３４  一対の係合部、２３５０−１  第１閉塞部、２３５０−２  第２閉塞部、２３５１−１  第１外側当接部、２３５２−１  第１内側当接部、２３５３−１  第１接続部、２３５１−２  第２外側当接部、２３５２−２  第２内側当接部、２３５３−２  第２接続部、２２９１−１  第１貫通孔、２２９１−２  第２貫通孔、２２３１ａ  一方の端部、２２３１ｂ  他方の端部、２３０  カバー部、２３０Ｄ  凸断面形状、２３０−１  第一の張出部、２３０−２  第二の張出部、２３１  カバー爪部、２３２  反射部、２３２ａ  閉塞部、２３２−１  第一の当接部、２３２−２  第二の当接部、２３３  水平部、２３４  拡散部、２３５  スリット、２４０  光源蓋部、２５０  連結金具、２７０  点灯装置、３００  照明器具、５００  被取付部、６０１  一方の短手方向、６０２  他方の短手方向。
【図１】
0006544986.tif 000002
【図２】
0006544986.tif 000003
【図３】
0006544986.tif 000004
【図４】
0006544986.tif 000005
【図５】
0006544986.tif 000006
【図６】
0006544986.tif 000007
【図７】
0006544986.tif 000008
【図８】
0006544986.tif 000009
【図９】
0006544986.tif 000010
【図１０】
0006544986.tif 000011
【図１１】
0006544986.tif 000012
【図１２】
0006544986.tif 000013
【図１３】
0006544986.tif 000014
【図１４】
0006544986.tif 000015
【図１５】
0006544986.tif 000016
【図１６】
0006544986.tif 000017
【図１７】
0006544986.tif 000018
【図１８】
0006544986.tif 000019
【図１９】
0006544986.tif 000020
【図２０】
0006544986.tif 000021
【図２１】
0006544986.tif 000022
【図２２】
0006544986.tif 000023
【図２３】
0006544986.tif 000024
【図２４】
0006544986.tif 000025
【図２５】
0006544986.tif 000026
【図２６】
0006544986.tif 000027
【図２７】
0006544986.tif 000028
【図２８】
0006544986.tif 000029
【図２９】
0006544986.tif 000030
【図３０】
0006544986.tif 000031
【図３１】
0006544986.tif 000032
【図３２】
0006544986.tif 000033
【図３３】
0006544986.tif 000034
【図３４】
0006544986.tif 000035
【図３５】
0006544986.tif 000036
【図３６】
0006544986.tif 000037